(57)【要約】【課題】クリック感を醸し出す切替レバー側の構造を双山形状にし、この双山形状にしたガイド部が金属性部材で曲面形状に形成した板バネの表面に当接して摺動させる構造としたモータの正転・逆転切替スイッチを提供する。【解決手段】正転・逆転切替スイッチは、略ハの字状に配列した２つの接触片に弾性を持たせて、前方２個の接触子、後方３個の接触子間を電気的に接続した状態で左右に回動させながら前記接触片を摺動させて、前記接触子との接続状態を切替えることでモータの正転・逆転を切替える正転・逆転切替スイッチであって、前記接触片を配置した前方位置に、双山形状の当接部を設け、該当接部の前方位置に曲面形状に形成した板バネを配置し、前記双山形状の当接部が前記板バネの表面に双方の山部を交互に摺接させながらモータの正転・逆転を切替えることである。【選択図】  図２
2010170924.tif 000002
【特許請求の範囲】
【請求項１】
先端に節度を醸し出すための当接部と、略中央位置に回動の中心となるレバー中心軸と、後端に回動するためのノブとを備え、
前記ノブの操作によって前記レバー中心軸を中心に前記当接部が板バネに当接して回動する切替スイッチであって、
前記当接部は双山形状に形成し、該双山形状の当接部の前方位置に曲面形状に形成した板バネを配置し、前記双山形状の当接部が前記板バネの表面に双方の山部を交互に摺接させてモータの正転・逆転を切替えることを特徴とする正転・逆転切替スイッチ。
【請求項２】
略ハの字状に配列した２つの接触片に弾性を持たせて、前方２個の接触子、後方３個の接触子間を電気的に接続した状態で左右に回動させながら前記接触片を摺動させて、前記接触子との接続状態を切替えることでモータの正転・逆転を切替える正転・逆転切替スイッチであって、
前記接触片を配置した前方位置に、双山形状の当接部を設け、該当接部の前方位置に曲面形状に形成した板バネを配置し、前記双山形状の当接部が前記板バネの表面に双方の山部を交互に摺接させてモータの正転・逆転を切替えることを特徴とする正転・逆転切替スイッチ。
【発明の詳細な説明】
【技術分野】
【０００１】
本発明は正転・逆転切替スイッチに関し、詳しくは、電動工具に使用されるトリガースイッチにおいて、内部のスイッチ機構のうちモータの正転・逆転を切替える切替スイッチの構造に改良を加えて切替スイッチの切替動作を円滑にした正転・逆転切替スイッチに関する。
【背景技術】
【０００２】
従来技術における正転・逆転切替スイッチを備えたトリガースイッチは、図９に示すように、縦長の箱形状に形成され、内部にスイッチ機構を組み込み、外部の操作部１１４からの操作動作を伝達する摺動操作子１１１を上部位置に備え、且つ側面を開口にしたケース１１２と、ケース１１２の側面の開口面を塞ぐと共に、内側壁面に摺動回路基板を搭載し、外側に制御素子を配置するＦＥＴ配置部を備えたカバー１１３と、手の指で操作できる操作部１１４と、ケース１１２の頂面に位置しモータの回転切替えをする切替操作部１１５と、ケース１１２にカバー１１３をしたその外周位置に配置した略コ字型形状に形成した放熱板１１６とを備えた構成になっている。
【０００３】
上記構成からなる切替操作部１１５の構造につき詳細に説明する。
切替操作部１１５は、図１０に示すように、絶縁性部材で形成された筐体（ケース）内部において、電源を供給する電源端子片１２１、接地する接地端子片１２４、モータに電源を供給する第１モータ端子片１２７、モータに電源を供給する第２モータ端子片１３１、のそれぞれを、接触子を所定位置に配置させるようにして配設し、その上部位置において略ハの字状になるように配設した第１及び第２接触片１３７、１４２を備えた切替レバー１３５を備えた構成となっている。
そして、切替レバー１３５の先方側にはカバー１１３の内壁に設けたオシボ１１８に当接する双山形状のクリック部１１７を備えた構造となっている。
【０００４】
切替レバー１３５は、ハ字型形状に第１及び第２接触片１３７、１４２をスプリング１４５ａ、１４５ｂを中心位置で弾性させるようにして配置する本体部１４１、本体部１４１に連設して回動中心となすレバー中心軸１４６、レバー中心軸１４６の上部位置から本体部１４１から離れる方向に延設したレバー１４７、レバー１４７の終端位置に設けた直交方向に突出形成したノブ１４８、ノブ１４８の反対側に突出形成したガイド突起１４９とを備えた構成となっている。
【０００５】
本体部１４１は、上下の２段で扇状に形成され、上段の先端部中央位置にオシボ１１８とスプリング１１９を係合する当接部１５１を設け、下段の扇状に形成された奥側側面に沿って第１接触片１３７のガイド突起１３８ａを遊嵌合する第１ガイド孔１５２ａ、基端部側に設けられ第１接触片１３７の他方のガイド突起１３８ｂを係合する第２ガイド孔１５３ａ、第１ガイド孔１５２ａと第２ガイド孔１５３ａとの間であって背面側に設けたスプリング１４５ａを係合するスプリング係合穴１５４ａを備え、一方、手前側側面に沿って第２接触片１４２のガイド突起１４３ａを遊嵌合する第３ガイド孔１５２ｂ、基端部側に設けられ第２接触片１４２の他方のガイド突起１４３ｂを遊嵌合する第４ガイド孔１５３ｂ、第３ガイド孔１５２ｂと第４ガイド孔１５３ｂとの間であって背面側に設けたスプリング１４５ｂを係合するスプリング係合穴１５４ｂを備えた構成になっている。
【０００６】
第１接触片１３７及び第２接触片１４２は、金属性の導電性部材で形成され、中央位置を幅広に形成し、両端部を直交方向に延出したガイド突起１３８ａ、１３８ｂ及び１４３ａ、１４３ｂを設け、幅広の部位の表面側にスプリング１４５ａ、１４５ｂを当接させ、ガイド突起１３８ａ、１３８ｂ及び１４３ａ、１４３ｂを設けた背面側が接触子１２３、１２６、１２９、１３０、１３３に当接して電気的な接続を得る構造となっている。
【０００７】
電源端子片１２１は、導電性板部材を細長く形成し、下部位置に電源を供給するための電源端子１２２を設け、上部位置を直交する方向に序々に変形させ、その頂面の面取り加工を施した電源接触子１２３を備えた構成になっている。
【０００８】
接地端子片１２４は、導電性板部材を直角に折り曲げ、折り曲げた下方端部にスイッチの接点を設け、その近傍位置に接地側と接続する接地部１２５を備え、折り曲げた上部端部を更にコ字状に折り曲げ、その頂面の面取り加工を施した接地接触子１２６を備えた構成になっている。
【０００９】
第１モータ端子片１２７は、導電性板部材を細長く形成し、一方端部にモータと接続するためのモータ接続端子１２８を設け、他方端部に切り起こした頂面の面取り加工を施したモータマイナス接触子１２９と、モータ接続端子１２８側で、モータマイナス接触子１２９と同様に切り起こして同一方向を向いた頂面の面取り加工を施したモータプラス接触子１３０とを備えた構成になっている。
【００１０】
第２モータ端子片１３１は、導電性板部材を細長く形成し、一方端部にモータと接続するためのモータ接続端子１３２を設け、略中間位置に切り起こした頂面の面取り加工を施したモータコモン接触子１３３を備えた構成になっている。
【００１１】
上記説明した４つの端子片１２１、１２４、１２７、１３１は、図１０に示すように、筐体のスリット或いは溝に係合させて配設され、接触子が互いに隣り合わせたようにして配置される。即ち、電源端子片１２１の電源接触子１２３は筐体の上部手前方向に配置され、接地端子片１２４の接地接触子１２６は、電源接触子１２３と隣接した奥方向に配置され、第１モータ端子片１２７のモータマイナス接触子１２９が接地接触子１２６と対向した位置関係で配置され、同じくモータプラス接触子１３０が電源接触子１２３と対向する位置関係で配置され、第２モータ端子片１３１のモータコモン接触子１３３がモータマイナス接触子１２９とモータプラス接触子１３０との間に配置される。
【００１２】
このようにして配置されたそれぞれの接触子には上部から切替レバー１３５に取り付けられている第１接触片１３７及び第２接触片１４２が接触子１２３、１２６、１２９、１３０、１３３を跨いだ状態で配置される。
【００１３】
そして、切替レバー１３５の本体部１４１の上段先端に設けられているオシボ１１８がカバー１１３の内側に設けられている双山形状のクリック部１１７に当接しながら摺動する。
【００１４】
図１１は、切替スイッチがモータを逆回転させるときのスイッチの状態を示したもので、中心軸１４６を中心にしてノブ１４８を図において下方向に回動させることで本体部１４１が上方向に回動することで、オシボ１１８がクリック部１１７を摺接して当接する。この状態のときには、第１接触片１３７及び第２接触片１４２は、第１接触片１３７がモータプラス接触子１３０と接地接触子１２６とに接続し、第２接触片１４２がモータコモン接触子１３３と電源接触子１２３とに接続する。
【００１５】
図１２は、切替スイッチがモータの正逆回転させる中間位置に動かした状態を示したもので、中心軸１４６を中心にしてノブ１４８を図において上方向に回動させることで本体部１４１が下方向に回動して、オシボ１１８がクリック部１１７を摺接して当接する。この状態のときには、第１接触片１３７及び第２接触片１４２は、ともに浮いた状態で接続する、即ち、この状態のときにはモータの正逆は発生しない。
【００１６】
図１３は、切替スイッチがモータを正回転させるときのスイッチの状態を示したもので、中心軸１４６を中心にしてノブ１４８を図において上方向に回動させることで本体部１４１が下方向に回動することで、オシボ１１８がクリック部１１７の表面を摺接して当接する。
この状態のときには、第１接触片１３７及び第２接触片１４２は、第１接触片１３７がモータコモン接触子１３３と接地接触子１２６とに接続し、第２接触片１４２がモータマイナス接触子１２９と電源接触子１２３とに接続する。
【００１７】
図１４乃至図１７に示すものは、切替スイッチの他の例で、当接部１１８がオシボの替わりに樹脂で形成された突起を設け、この突起が摺接する側に中央がへこんだ金属性部材で形成された板バネ１１７Ａにした構造となっている。
【００１８】
図１４は、切替スイッチがモータを逆回転させるときのスイッチの状態を示したもので、中心軸１４６を中心にしてノブ１４８を図において下方向に回動させることで本体部１４１が上方向に回動することで、突起部１１８Ａが板バネ１１７Ａを摺接して当接する。この状態のときには、第１接触片１３７及び第２接触片１４２は、第１接触片１３７がモータプラス接触子１３０と接地接触子１２６とに接続し、第２接触片１４２がモータコモン接触子１３３と電源接触子１２３とに接続する。
そして、図１７に示すように、当接部１１８Ａが板バネ１１７Ａを当接する位置は、板バネ１１７Ａの折り曲げた終端位置側である。
【００１９】
図１５は、切替スイッチがモータの正逆回転させる中間位置に動かした状態を示したもので、中心軸１４６を中心にしてノブ１４８を図において上方向に回動させることで本体部１４１が下方向に回動して、突起部１１８Ａが板バネ１１７Ａを摺接して当接する。この状態のときには、第１接触片１３７及び第２接触片１４２は、ともに浮いた状態で接続する、即ち、この状態のときにはモータの正逆は発生しない。
【００２０】
図１６は、切替スイッチがモータを正回転させるときのスイッチの状態を示したもので、中心軸１４６を中心にしてノブ１４８を図において上方向に回動させることで本体部１４１が下方向に回動することで、突起部１１８Ａが板バネ１１７Ａの表面を摺接して当接する。この状態のときには、第１接触片１３７及び第２接触片１４２は、第１接触片１３７がモータコモン接触子１３３と接地接触子１２６とに接続し、第２接触片１４２がモータマイナス接触子１２９と電源接触子１２３とに接続する。
【特許文献１】特開２００３−１０９４５１号公報（第３頁〜４頁  第４図）
【発明の開示】
【発明が解決しようとする課題】
【００２１】
しかしながら、従来技術で説明した正転・逆転切替スイッチにおいては、クリック感を醸し出すために、樹脂でできているオシボをやはり樹脂でできているカバーの内壁に設けた双山形状のクリック部に当接して摺動させる構造であるため、使用しているうちに樹脂同士の接触であるために、磨耗が発生し、フィーリングが切換え数とともに軽くなってしまいクリック感が損失してしまうという問題がある。
【００２２】
又、他の例で示した、当接部がオシボのかわりに樹脂で形成した突起にし、当接される側を板バネにした構造の切替スイッチにおいては、当接部の回動範囲が大きいため、板バネの折り曲げた終端位置側にまで当接摺動するため、板バネの繰り返し応力に問題があり、破断を起こす起因となっている。又、当接部を形成する突起が１箇所のみのため、集中的に磨耗が発生し、クリック感の損失も問題となっている。
【００２３】
従って、モータの正転及び逆転を切替える切替スイッチにおいて、切替える際に発生するクリック感を持続させる構造、具体的には繰り返し応力に耐えられるように距離を長くし、尚且つ集中的に１箇所に発生していた磨耗を複数の突起により、分散させる構造に解決しなければならない課題を有する。
【課題を解決するための手段】
【００２４】
上記課題を解決するために、本願発明の正転・逆転切替スイッチは、次に示す構成にすることである。
【００２５】
（１）正転・逆転切替スイッチは、先端に節度を醸し出すための当接部と、略中央位置に回動の中心となるレバー中心軸と、後端に回動するためのノブとを備え、前記ノブの操作によって前記レバー中心軸を中心に前記当接部が板バネに当接して回動する切替スイッチであって、前記当接部は双山形状に形成し、該双山形状の当接部の前方位置に曲面形状に形成した板バネを配置し、前記双山形状の当接部が前記板バネの表面に双方の山部を交互に摺接させてモータの正転・逆転を切替えることである。
【００２６】
（２）正転・逆転切替スイッチは、略ハの字状に配列した２つの接触片に弾性を持たせて、前方２個の接触子、後方３個の接触子間を電気的に接続した状態で左右に回動させながら前記接触片を摺動させて、前記接触子との接続状態を切替えることでモータの正転・逆転を切替える正転・逆転切替スイッチであって、前記接触片を配置した前方位置に、双山形状の当接部を設け、該当接部の前方位置に曲面形状に形成した板バネを配置し、前記双山形状の当接部が前記板バネの表面に双方の山部を交互に摺接させながらモータの正転・逆転を切替えることである。
【発明の効果】
【００２７】
本発明により、クリック感を醸し出す切替バー側の構造を双山形状にし、この双山形状にしたガイド部が金属性部材で形成した板バネの表面に当接して摺動させる構造としたことにより、双山の頂部で板バネを当接することで、一山が板バネに当接するスパンが長くなり、その分板バネへの応力の具合が長いものとなり、応力の一箇所への集中を回避でき、部品の削れ等によるフィーリングの損失を防止できるという効果がある。
【発明を実施するための最良の形態】
【００２８】
本願発明に係る正転・逆転切替スイッチの実施形態について、図面を参照して説明する。
【００２９】
本発明に係る正転・逆転切替スイッチを備えた電動工具用スイッチは、図１に示すように、縦長の箱形状に形成され、内部にスイッチ機構を組み込み、外部の操作部からの操作動作を伝達する摺動操作子１１を上部位置に備え、且つ側面を開口にしたケース１２と、ケース１２の側面の開口面を塞ぐと共に、内側壁面に摺動回路基板を搭載し、外側に制御素子を配置するＦＥＴ配置部を備えたカバー１３と、手の指で操作できる操作部１４と、ケース１２の頂面に位置しモータの回転切替えをする切替操作部１５と、ケースにカバーをしたその外周位置に配置した略コ字型形状に形成した放熱板１６とを備えた構成になっている。
本願発明においては、切替操作部１５を改良したものであるため、この切替操作部を中心に説明する。
【００３０】
本願発明の切替操作部は、従来技術において、切替レバーで切替える際に切替レバーの先端側にオシボを形成し、且つこのオシボをカバー（蓋体）側に設けた双山形状の三角形状の山谷部に沿って動かすことでクリック感等を醸し出す構造となっているが、これに替えて、本願発明の切替操作部の構造は、切替レバーの先端側に金属性部材で形成された曲面形状の板バネを配設し、その曲面形状の板バネの凸面上に双山形状の先端部を接触させながら摺動させることで、切替える際に抵抗感を伝達させる構造となっている。
【００３１】
以下、その構造につき詳細に説明する。
図２及び図３に示すように、絶縁性部材で形成された筐体（ケース）内部において、電源を供給する電源端子片２１、接地する接地端子片２４、モータに電源を供給する第１モータ端子片２７、モータに電源を供給する第２モータ端子片３１、のそれぞれを、接触子を所定位置に配置させるようにして配設し、その上部位置において略ハの字状になるように配設した第１及び第２接触片３７、４２を備えた切替レバー３５を備え、この切替レバー３５の先端側に湾曲した金属性部材で形成された板バネ３６を備えた構成となっている。
【００３２】
切替レバー３５は、ハ字型形状に第１及び第２接触片３７、４２をスプリング４５ａ、４５ｂを中心位置で弾性させるようにして配置する本体部４１、この本体部４１に連設して回動中心となすレバー中心軸４６、レバー中心軸４６の上部位置から本体部４１から離れる方向に延設したレバー４７、レバー４７の終端位置に設けた直交方向に突出形成したノブ４８、ノブ４８の反対側に突出形成したガイド突起４９とを備えた構成となっている。
【００３３】
本体部４１は、扇状に形成された先端部に双山形状に形成され、板バネ３６に弾性接触する当接部５１、扇状に形成された奥側側面に沿って第１接触片３７のガイド突起３８ａを遊嵌合するガイド孔５２ａ、基端部側を切り欠いた溝形状に形成して第１接触片３７の他方のガイド突起３８ｂを係合する係合溝部５３ａ、ガイド孔５２ａと係合溝部５３ａとの間であって背面側に設けたスプリング４５ａを係合するスプリング係合穴５４ａを備え、一方、手前側側面に沿って第２接触片４２のガイド突起４３ａを遊嵌合するガイド孔５２ｂ、基端部側を切り欠いた溝形状に形成して第２接触片４２の他方のガイド突起４３ｂを係合する係合溝部５３ｂ、ガイド孔５２ｂと係合溝部５３ｂとの間であって背面側に設けたスプリング４５ｂを係合するスプリング係合穴５４ｂを備えた構成になっている。
【００３４】
第１接触片３７及び第２接触片４２は、金属性の導電性部材で形成され、中央位置を幅広に形成し、両端部を直交方向に延出したガイド突起３８ａ、３８ｂ及び４３ａ、４３ｂを設け、幅広の部位の表面側にスプリング４５ａ、４５ｂを当接させ、ガイド突起３８ａ、３８ｂ及び４３ａ、４３ｂを設けた背面側が接触子に当接して電気的な接続を得る構造となっている。
【００３５】
電源端子片２１は、導電性板部材を細長く形成し、下部位置に電源を供給するための電源端子２２を設け、上部位置を直交する方向に序々に変形させ、その頂面の面取り加工を施した電源接触子２３を備えた構成になっている。
【００３６】
接地端子片２４は、導電性板部材を直角に折り曲げ、折り曲げた下方端部にスイッチの接点を設け、その近傍位置に接地側と接続する接地部２５を備え、折り曲げた上部端部を更にコ字状に折り曲げ、その頂面の面取り加工を施した接地接触子２６を備えた構成になっている。
【００３７】
第１モータ端子片２７は、導電性板部材を細長く形成し、一方端部にモータと接続するためのモータ接続端子２８を設け、他方端部に切り起こした頂面の面取り加工を施したモータマイナス接触子２９と、モータ接続端子２８側で、モータマイナス接触子２９と同様に切り起こして同一方向を向いた頂面の面取り加工を施したモータプラス接触子３０とを備えた構成になっている。
【００３８】
第２モータ端子片３１は、導電性板部材を細長く形成し、一方端部にモータと接続するためのモータ接続端子３２を設け、略中間位置に切り起こした頂面の面取り加工を施したモータコモン接触子３３を備えた構成になっている。
【００３９】
上記説明した４つの端子片２１、２４、２７、３１は、図示しない筐体（ケース）のスリット或いは溝に係合させて配設され、接触子２３、２６、２９、３０、３３が互いに隣り合わせたようにして配置される。即ち、電源端子片２１の電源接触子２３は筐体（ケース）の上部奥方向に配置され、接地端子片２４の接地接触子２６は、電源接触子２３と隣接した手前側に配置され、第１モータ端子片２７のモータマイナス接触子３０が接地接触子２６と対向した位置関係で配置され、同じくモータプラス接触子２９が電源接触子２３と対向する位置関係で配置され、第２モータ端子片３１のモータコモン接触子３３がモータマイナス接触子２９とモータプラス接触子３０との間に配置される。
【００４０】
このようにして配置されたそれぞれの接触子２３、２６、２９、３０、３３には上部から切替レバー３５に取り付けられている第１接触片３７及び第２接触片４２が接触子２３、２６、２９、３０、３３を跨いだ状態で配置される。
【００４１】
そして、切替レバー３５の本体部４１の先端に設けられている双山形状の当接部５１が前方に配置されている板バネ３６の表面に当接しながら摺動する。
【００４２】
図４及び図６に示すものは、切替スイッチがモータを逆回転させるときのスイッチの状態を示したもので、中心軸４６を中心にしてノブ４８を図６において下方向に回動させることで本体部４１が上方向に回動することで、当接部５１の下方側の山部が板バネ３６の表面を摺接して当接する。
この状態のときには、第１接触片３７及び第２接触片４２は、第１接触片３７がモータプラス接触子３０と電源接触子２３とに接続し、第２接触片４２がモータコモン接触子３３と接地接触子２６とに接続する。
従って、電源接触子２３からの電源が第１接触片３７を介してモータプラス接触子３０に流れ、それがモータに供給され、モータからの電源がモータコモン接触子３３に流れ、第２接触片４２を介して接地接触子２６に流れることで、モータが逆回転する。
【００４３】
図７は、切替スイッチがモータの正逆回転させる中間位置に動かした状態を示したもので、中心軸４６を中心にしてノブ４８を図において上方向に回動させることで本体部４１が下方向に回動して、当接部５１の２つの山部が板バネ３６の表面を摺接して当接する。この状態のときには、第１接触片３７及び第２接触片４２は、ともに浮いた状態で接続する、即ち、この状態のときにはモータの正逆は発生しない。
【００４４】
図５及び図８に示すものは、切替スイッチがモータを正回転させるときのスイッチの状態を示したもので、中心軸４６を中心にしてノブ４８を図において上方向に回動させることで本体部４１が下方向に回動することで、当接部５１の上方側の山部が板バネ３６の表面を摺接して当接する。
この状態のときには、第１接触片３７及び第２接触片４２は、第１接触片３７がモータコモン接触子３３と電源接触子２３とに接続し、第２接触片４２がモータマイナス接触子２９と接地接触子２６とに接続する。
従って、電源接触子２３からの電源が第１接触片３７を介してモータコモン接触子３３に流れ、それがモータに供給され、モータからの電源がモータマイナス接触子２９に流れ、第２接触片４２を介して接地接触子２６に流れることで、モータが正回転する。
【産業上の利用可能性】
【００４５】
クリック感を醸し出す切替バー側の構造を双山形状にし、この双山形状にしたガイド部が金属性部材で形成した板バネの表面に当接して摺動させる構造としたモータの正転・逆転切替スイッチを提供する。
【図面の簡単な説明】
【００４６】
【図１】本発明に係るトリガースイッチの外観を示した斜視図である。
【図２】同、切替操作部の内部構造を示した外観斜視図である。
【図３】同、４つの端子片の配置状態を示した斜視図である。
【図４】同、４つの端子片にモータの正転の時の切替レバーを載せた状態を示した斜視図である。
【図５】同、４つの端子片にモータの逆転の時の切替レバーを載せた状態を示した斜視図である。
【図６】同、モータの正転の時の切替レバーの状態を示す説明図である。
【図７】同、モータが中立の状態のときの切替レバーの状態を示す説明図である。
【図８】同、モータの逆転の時の切替レバーの状態を示す説明図である。
【図９】従来技術におけるトリガースイッチの外観を示した説明図である。
【図１０】同、切替操作部の内部構造を示した外観斜視図である。
【図１１】同、モータの正転の時の切替レバーの状態を示す説明図である。
【図１２】同、モータが中立の状態のときの切替レバーの状態を示す説明図である。
【図１３】同、モータの逆転の時の切替レバーの状態を示す説明図である。
【図１４】同、他の例の当接部が樹脂で形成され、当接される側が板バネで形成した切替スイッチで、モータの正転の時の切替レバーの状態を示す説明図である。
【図１５】同、他の例の当接部が樹脂で形成され、当接される側が板バネで形成した切替スイッチで、モータが中立の状態のときの切替レバーの状態を示す説明図である。
【図１６】同、他の例の当接部が樹脂で形成され、当接される側が板バネで形成した切替スイッチで、モータの逆転の時の切替レバーの状態を示す説明図である。
【図１７】同、板バネに当接する当接部の様子を拡大して示した説明図である。
【符号の説明】
【００４７】
１１      摺動操作子
１２      ケース
１３      カバー
１４      操作部
１５      切替操作部
１６      放熱板
２１      電源端子片
２２      電源端子
２３      電源接触子
２４      接地端子片
２５      接地部
２６      接地接触子
２７      第１モータ端子片
２８      モータ接続端子
２９      モータマイナス接触子
３０      モータプラス接触子
３１      第２モータ端子片
３２      モータ接続端子
３３      モータコモン接触子
３５      切替レバー
３６      板バネ
３７      第１接触片
３８ａ    ガイド突起
３８ｂ    ガイド突起
４１      本体部
４２      第２接触片
４３ａ    ガイド突起
４３ｂ    ガイド突起
４５ａ    スプリング
４５ｂ    スプリング
４６      レバー中心軸
４７      レバー
４８      ノブ
４９      ガイド突起
５１      当接部
【図１】
2010170924.tif 000003
【図２】
2010170924.tif 000004
【図３】
2010170924.tif 000005
【図４】
2010170924.tif 000006
【図５】
2010170924.tif 000007
【図６】
2010170924.tif 000008
【図７】
2010170924.tif 000009
【図８】
2010170924.tif 000010
【図９】
2010170924.tif 000011
【図１０】
2010170924.tif 000012
【図１１】
2010170924.tif 000013
【図１２】
2010170924.tif 000014
【図１３】
2010170924.tif 000015
【図１４】
2010170924.tif 000016
【図１５】
2010170924.tif 000017
【図１６】
2010170924.tif 000018
【図１７】
2010170924.tif 000019